(57)【要約】      （修正有）【課題】降雨時に流入する大量の雨水等を、円形水路を介して流水しつつ地中へ浸透させることで、環境に配慮しつつ優れた排水性能を有する側溝を提供する。【解決手段】全体が略直方体形状にコンクリート成型され、かつ、内部に円形水路３を備える側溝ブロック本体２において、所定高さ位置Ｐより下方領域Ｒにおける一部若しくは全部が透水性コンクリート４により構成されている。該側溝ブロック本体２について、その上面２ａから円形水路３まで連通する取水口６を備える構成を採用し得る。【選択図】図２
0003172660.tif 000002
【実用新案登録請求の範囲】
【請求項１】
全体が略直方体形状にコンクリート成型され、かつ、内部に円形水路を備える側溝ブロック本体において、所定高さ位置より下方領域における一部若しくは全部が透水性コンクリートにより構成されていることを特徴とする浸透円形側溝。
【請求項２】
前記浸透円形側溝において、前記側溝ブロック本体の上面から円形水路まで連通する取水口が設けられていることを特徴とする請求項１に記載の浸透円形側溝。
【請求項３】
前記浸透円形側溝において、前記側溝ブロック本体の上面の一部若しくは全部が、前記取水口に向けて下り勾配となっていることを特徴とする請求項２に記載の浸透円形側溝。
【請求項４】
前記浸透円形側溝において、前記側溝ブロック本体の上面に、前記取水口へつながる流水スリットが設けられていることを特徴とする請求項２に記載の浸透円形側溝。
【考案の詳細な説明】
【技術分野】
【０００１】
本考案は、円形水路を備え、雨水等を地中に浸透させて排水する機能を有する側溝に関するものである。
【背景技術】
【０００２】
従来、汚水や雨水の排水用として使用されている側溝は、Ｕ字型水路を備えるものや円形水路を備えるものなど、多種多様なものが存在する。そのうち、円形水路を備えた側溝は、排水と水路面との接触面積が小さいことから、他の水路形状のものに比し、水路内の排水の流れがスムーズで、流水性に優れていることが知られている。
【０００３】
ところで、現代社会はあらゆる地面がコンクリート等で覆われているため、雨水の地中浸透が妨げられており、降雨時の雨水は側溝等へ流れ込んで排水されている。したがって、豪雨時など大量の雨水が側溝等に一挙に流れ込んだ場合に、該側溝等の排水能力の限界を超え、排水処理しきれずに側溝内で滞留して溢れ出してしまう場合があった。また、雨水が地中に浸透されないため、地下水が枯渇状態になりつつあると言われており、地盤沈下との因果関係さらには環境への配慮が問題視されてきている。
【０００４】
【特許文献１】特開平１０−２８０５１４号公報
【特許文献２】特開２００９―１０２９１３号公報
【考案の開示】
【考案が解決しようとする課題】
【０００５】
そこで本考案は、上記問題点に鑑み、降雨時に流入する大量の雨水等を、円形水路を介して流水しつつ地中へ浸透させることで、環境に配慮しつつ優れた排水性能を有する側溝を提供することを目的とするものである。
【課題を解決するための手段】
【０００６】
上記課題を解決するため、請求項１に記載の考案は、全体が略直方体形状にコンクリート成型され、かつ、内部に円形水路を備える側溝ブロック本体において、所定高さ位置より下方領域における一部若しくは全部が透水性コンクリートにより構成されている。
【０００７】
また、請求項２に記載の考案は、前記側溝ブロック本体の上面から円形水路まで連通する取水口が設けられている構成を採用する。
【０００８】
さらに、請求項３に記載の考案は、前記側溝ブロック本体の上面の一部若しくは全部が、前記取水口に向けて下り勾配となっている構成となっている。
【０００９】
そしてまた、請求項４に記載の考案は、前記側溝ブロック本体の上面に、前記取水口へつながる流水スリットが設けられている構成となっている。
【考案の効果】
【００１０】
本考案にかかる浸透円形側溝によれば、円形水路を採用するとともに一部を透水コンクリートにより成型することで、優れた流水性能を有しつつ、水路内に流入した雨水等を地下に浸透させることができるため、環境に配慮しつつ、排水性能の向上に優れた効果を奏するものである。
【図面の簡単な説明】
【００１１】
【図１】本考案にかかる浸透円形側溝の実施形態を示す斜視図である。
【図２】本考案にかかる浸透円形側溝の実施形態を示す説明図である。
【図３】本考案にかかる浸透円形側溝の実施形態を示す説明図である。
【図４】本考案にかかる浸透円形側溝の実施態様を示す説明図である。
【考案を実施するための形態】
【００１２】
本考案は、水路内に流入した雨水等について、円形水路３により流水するとともに、透水性コンクリート４により速やかに地中へ浸透させることが可能であることを最大の特徴とする。以下、本考案にかかる浸透円形側溝１の実施形態を、図面に基づき説明する。
【００１３】
なお、本考案は、下記の実施形態に示した構成・態様に限定されるものではなく、本考案の技術的思想の要旨に逸脱しない範囲で、任意に変更することができるものである。
【００１４】
図１は、本考案にかかる浸透円形側溝１の実施形態を示す斜視図であり、また、図２及び図３は、本発明にかかる浸透円形側溝１の実施形態を示す説明図である。
すなわち、本考案にかかる浸透円形側溝１は、全体が略直方体形状にコンクリート成型され、かつ、内部に円形水路３を備える側溝ブロック本体２から構成されている。
なお、側溝ブロック本体２の形状については、全体が略直方体形状とされるが、図２及び図３に示すように、用途に応じて適宜形状変更は可能である。
【００１５】
該側溝ブロック本体２は、所定高さ位置Ｐより下方領域Ｒにおいて、その一部若しくは全部が透水性コンクリート４により構成されている。図２は、下方領域Ｒ全部が透水性コンクリート４により構成されている場合、図３は、下方領域Ｒの一部が透水性コンクリート４により構成されている場合について示している。
【００１６】
透水性コンクリート４で構成される部分として、図２に示すように、所定高さ位置Ｐより下方領域Ｒの全部を透水性コンクリート４で構成した場合、側溝ブロック本体２の両側方から下方域までの広い範囲で、円形水路３内に流入した雨水等の地中浸透処理が為されることとなる。
【００１７】
また、所定高さ位置Ｐより下方領域Ｒの一部を透水性コンクリート４で構成する場合については、図３に示すように、あらゆる態様が考え得る。例えば、図３（ａ）に示すように、側溝ブロック本体２の両側面部を透水性コンクリート４で構成したり、図３（ｂ）に示すように、いずれか一方の側面部のみを透水性コンクリート４で構成したり、さらには、図３（ｃ）に示すように、側溝ブロック本体２の底面部のみを透水性コンクリート４で構成する態様などが考え得る。そして、透水性コンクリート４で構成された部分に応じて、円形水路３内に流入した雨水等の地中浸透処理が為されることとなる。
【００１８】
前記側溝ブロック本体２における透水性コンクリート４で構成すべき所定高さ位置Ｐについては、特に限定するものではなく、雨水等の地中への浸透処理能力などを考慮して、任意に設定される。
【００１９】
なお、前記側溝ブロック本体２において、透水性コンクリート４により構成された部分以外については、不透水性コンクリート５により構成されることとなる。
【００２０】
以上の通り構成される本考案にかかる浸透円形側溝１について、前記側溝ブロック本体２の上面２ａから円形水路３まで連通する取水口６を設ける構成を採用し得る。すなわち、道路や歩道など地上面に降り注いだ雨水等Ｗを円形水路３内へ流入すべく、取水口６を介して流入させるためのものである。
【００２１】
かかる取水口６は、図１（ａ）に示すように、側溝ブロック本体２の上面２ａにおいて、円形水路３の長手方向に沿って貫通溝状に設ける態様が考え得る。また、図１（ｂ）に示すように、側溝ブロック本体２の上面２ａにおいて、円形水路３の長手方向に沿って、所定間隔を空けて複数の取水口６を設ける態様も可能である。
【００２２】
側溝ブロック本体２に取水口６を設ける場合において、該側溝ブロック本体２の上面２ａが、該取水口６に向けて下り勾配となっている態様が考え得る。かかる態様を採用することにより、雨水等Ｗを取水口６まで容易に導くことが可能となる。なお、かかる下り勾配は、取水口６に向けて側溝ブロック本体２の上面２ａ全部に設けることもでき、あるいは、該上面２ａの一部(取水口６周囲)にのみ設ける態様も可能である。
【００２３】
また同様、側溝ブロック本体２に取水口６を設ける場合において、図１（ｃ）に示すように、該側溝ブロック本体２の上面２ａに、該取水口６へつながる流水スリット７を設ける態様も考え得る。かかる態様を採用することにより、上記同様、雨水等Ｗを取水口６まで容易に導くことが可能となる。なお、かかる流水スリット７を設ける態様については、特に限定はないが、例えば図示されているように、格子状に設ける態様などが考え得る。
【００２４】
なお、前記取水口６には、必要に応じて蓋体８が備えられる。該蓋体８は、雨水等Ｗとともに流れてくるゴミなどが、円形水路３内に流入することを未然に防止するものであって、透水性コンクリート４の目詰まり防止にも資する。該蓋体８の具体的構成態様については、例えばスチール製若しくはステンレス製でメッシュ状に構成され、取水口６の上方に載置されたり、あるいは、取水口６に嵌合させるように備えられる。
【００２５】
以上の通り構成される本考案にかかる浸透円形側溝１の設置態様については、特に限定はなく、常法の側溝設置態様に従い、掘削された設置場所に浸透円形側溝１を埋設すれば足りる。すなわち、図４に示すように、取水口６上方に載置された蓋体８の上面を残し、側溝ブロック本体２全体を埋設する態様や、あるいは、図示されていないが、側溝ブロック本体２の上面２ａをそのまま地上面Ｇとしてバリアフリー化して、該側溝ブロック本体２周囲のみを埋設する態様などが考え得る。
【００２６】
本考案にかかる浸透円形側溝１について、次に、雨水等の流入・地中浸透状況について説明する。図４は、雨水等の流入から地下浸透に至るまでのフローを示す説明図である。
【００２７】
本考案にかかる浸透円形側溝１は、道路や歩道の側端などに配置される。
側溝ブロック本体２の上面２ａに設けられた取水口６から、雨水等Ｗが円形水路３内へ流れ込む。このとき、該取水口６に蓋体８が備えられている場合、該蓋体８を介して雨水等Ｗとともに流れてくるゴミなどが取り除かれつつ、円形水路３内に流入する。
【００２８】
流入した雨水等Ｗは、上流から下流方向へ円形水路３で流水されつつ、該円形水路３内にて透水性コンクリート４を介して地中Ｈへも浸透が行われる。
このように、本考案にかかる浸透円形側溝１によれば、円形水路３内において流水と地中Ｈへの浸透とが同時に行われることで、雨水等Ｗの排水処理を効率良く行うことが可能となる。
【産業上の利用可能性】
【００２９】
本考案にかかる浸透円形側溝１は、ゲリラ豪雨による大量の雨水など、多くの排水処理能力が求められる場面において、流水による排水と地中Ｈへの浸透による排水とを同時に行うことで、優れた排水処理能力を発揮するものであって、本考案の産業上の利用可能性は大である。
【符号の説明】
【００３０】
１    浸透円形側溝
２    側溝ブロック本体
３    円形水路
４    透水性コンクリート
５    不透水性コンクリート
６    取水口
７    流水スリット
８    蓋体
Ｇ    地上面
Ｈ    地中
Ｐ    所定高さ位置
Ｒ    下方領域
Ｗ    雨水等
【図２】
0003172660.tif 000003
【図３】
0003172660.tif 000004
【図１】
0003172660.tif 000005
【図４】
0003172660.tif 000006